(57)【要約】【課題】ＲＦＩＤの仕組みを利用して大容量のデータ送受信が可能な携帯電子機器を提供する。【解決手段】携帯電子機器（携帯電話１０）は、操作部１２と、第１の記憶部（記憶部１６）と、外部装置との間で情報を送受信する送受信部１５１、情報の少なくとも一部を記憶する第１の記憶部よりも容量が小さい第２の記憶部（ＲＦＩＤ記憶部１５２）、操作部を介して設定入力される内容にしたがい送受信部が受信した情報を第１の記憶部と第２の記憶部のそれぞれに記憶させる制御部（ＲＦＩＤ制御部１５０）、を含むＲＦＩＤ部１５と、備え、制御部は、送受信部１５１が受信した情報を、第１の情報と、第１の情報より情報量が大きな第２の情報と、に分離し、第１の情報を第２の記憶部に、第２の情報を第１の記憶部に記憶させる制御を実行する。【選択図】図３
2010035058.tif 000002
【特許請求の範囲】
【請求項１】
外部装置との間で無線により情報を送受信する携帯電子機器であって、
操作部と、
第１の記憶部と、
前記外部装置との間で前記情報を送受信する送受信部、前記情報の少なくとも一部を記憶する前記第１の記憶部よりも容量が小さい第２の記憶部、前記操作部を介して設定入力される内容にしたがい前記送受信部が受信した情報を前記第１の記憶部と前記第２の記憶部のそれぞれに記憶させるＲＦＩＤ制御部、を含むＲＦＩＤ部と、備え、
前記ＲＦＩＤ制御部は、
前記送受信部が受信した前記情報を、第１の情報と、前記第１の情報より情報量が大きな第２の情報とに分離し、前記第１の情報を前記第２の記憶部に、前記第２の情報を前記第１の記憶部に記憶させる制御を実行する
ことを特徴とする携帯電子機器。
【請求項２】
前記ＲＦＩＤ制御部は、
前記外部装置から受信した第１の情報を暗号化された状態で前記ＲＦＩＤ部における第２の記憶部に記憶し、暗号化されている前記第２の情報を復号化して前記第１の記憶部に記憶させる
ことを特徴とする請求項１に記載の携帯電子機器。
【請求項３】
前記ＲＦＩＤ制御部は、
前記第１の記憶部に記憶される前記第２の情報の種類を示す、前記操作部により設定入力される第３の情報に基づき、前記外部装置に送信させる情報の種類を制御する
ことを特徴とする請求項１または請求項２に記載の携帯電子機器。
【請求項４】
前記ＲＦＩＤ制御部により前記第１の記憶部に記憶される前記第２の情報は、前記外部装置に通信ネットワーク経由で接続される情報配信装置により配信される前記外部装置の設置場所に関する情報である
ことを特徴とする請求項１から請求項３のいずれか１項に記載の携帯電子機器。
【請求項５】
前記送受信部は、
前記外部装置から送信される前記情報の種類を特定する第３の情報を受信し、
前記制御部は、
当該第３の情報に基づいて、前記外部装置より受信した前記情報を、第１の情報と、前記第１の情報より情報量が大きな第２の情報とに分離し、前記第１の情報を前記第２の記憶部に、前記第２の情報を前記第１の記憶部に記憶させる制御を実行する
ことを特徴とする請求項１から請求項３のいずれか１項に記載の携帯電子機器。
【発明の詳細な説明】
【技術分野】
【０００１】
本発明は、ＲＦＩＤ（Radio Frequency Identification）チップを有する携帯電子機器、に関するものである。
【背景技術】
【０００２】
近年、例えば、ＲＦＩＤの仕組みを利用することによって、内蔵されたＩＣチップ及びアンテナを用いて電子決済が行える携帯電話が流通するようになった。
【０００３】
例えば、特許文献１には、ＲＦＩＤリーダ／ライタとの間で、電子マネーの送受信を行う他に、賞味期限などの付加情報の受信も行える携帯電話が開示されている。
【特許文献１】特開２００７−２８００６５号公報
【発明の開示】
【発明が解決しようとする課題】
【０００４】
しかしながら、上記したＲＦＩＤが有する記憶容量は、通常、数百バイト程度であるため、上記した特許文献１に開示された技術によれば、数キロバイトを超える付加情報を受信できないという問題があった。
【０００５】
本発明の目的は、ＲＦＩＤの仕組みを利用して大容量のデータ送受信が可能な携帯電子機器および外部装置ならびに無線通信システムを提供することにある。
【課題を解決するための手段】
【０００６】
本発明の第１の観点の携帯電子機器は、外部装置との間で無線により情報を送受信する携帯電子機器であって、操作部と、第１の記憶部と、前記外部装置との間で前記情報を送受信する送受信部、前記情報の少なくとも一部を記憶する前記第１の記憶部よりも容量が小さい第２の記憶部、前記操作部を介して設定入力される内容にしたがい前記送受信部が受信した情報を前記第１の記憶部と前記第２の記憶部のそれぞれに記憶させるＲＦＩＤ制御部、を含むＲＦＩＤ部と、備え、前記ＲＦＩＤ制御部は、前記送受信部が受信した前記情報を、第１の情報と、前記第１の情報より情報量が大きな第２の情報とに分離し、前記第１の情報を前記第２の記憶部に、前記第２の情報を前記第１の記憶部に記憶させる制御を実行する。
【０００７】
また、本発明の携帯電子機器において、前記ＲＦＩＤ制御部は、前記外部装置から受信した第１の情報を暗号化された状態で前記ＲＦＩＤ部における第２の記憶部に記憶し、暗号化されている前記第２の情報を復号化して前記第１の記憶部に記憶させてもよい。
【０００８】
また、本発明の携帯電子機器において、前記ＲＦＩＤ制御部は、前記第１の記憶部に記憶される前記第２の情報の種類を示す前記操作部により設定入力される第３の情報に基づき、前記外部装置に送信させる情報の種類を制御してもよい。
【０００９】
また、本発明の携帯電子機器において、前記ＲＦＩＤ制御部により前記第１の記憶部に記憶される前記第２の情報は、前記外部装置に通信ネットワーク経由で接続される情報配信装置により配信される前記外部装置の設置場所に関する情報である。
【００１０】
また、本発明の携帯電子機器において、前記送受信部は、前記外部装置から送信される前記情報の種類を特定する第３の情報を受信し、前記制御部は、当該第３の情報に基づいて、前記外部装置より受信した前記情報を、第１の情報と、前記第１の情報より情報量が大きな第２の情報とに分離し、前記第１の情報を前記第２の記憶部に、前記第２の情報を前記第１の記憶部に記憶させる制御を実行する。
【発明の効果】
【００１１】
本発明によれば、ＲＦＩＤの仕組みを利用して大容量のデータ送受信が可能な携帯電子機器を提供することが可能となる。
【発明を実施するための最良の形態】
【００１２】
図１は、本発明の第１の実施の形態に係る携帯電子機器の外観構造の一例を示す図である。ここでは、携帯電子機器として折り畳み型の携帯電話１０が例示されている。
【００１３】
図１に示されるように、携帯電話１０は、上部筐体１０１と、下部筐体１０２と、ヒンジ部１０３とを有して構成される。
【００１４】
図１（ａ）は、携帯電話１０が開かれた状態（開状態）を示した図であり、図１（ｂ）は携帯電話１０が折り畳まれた状態（閉状態）を示した図である。
図１（ａ）に示されるように、上部筐体１０１には、図１（ｂ）に示す携帯電話１０の閉状態においては外部には露出しない一面に表示部１４が配置されている。
また、下部筐体１０２には、図１（ｂ）に示す携帯電話１０の閉状態において外部には露出しない一面に操作部１２が配置されている。
【００１５】
なお、下部筐体１０２には、図中、点線で示されるＲＦＩＤ（後述するＲＦＩＤ部１５）が実装されている。
ＲＦＩＤ部１５は、外部装置（後述するＲＦＩＤリーダライタ２０）との間で無線により情報を送受信するＩＣチップであり、詳細は後述する。
【００１６】
ヒンジ部１０３は、上部筐体１０１と下部筐体１０２とを開閉し、図１（ａ）に示す携帯電話１０の開状態と図１（ｂ）に示す閉状態とを遷移可能とする回転軸を有するヒンジ機構である。
【００１７】
なお、携帯電話１０の開状態／閉状態は、内蔵する不図示の制御部により監視されており、後述する制御部は、携帯電話１０の開閉状態を検出することが可能である。
具体的に、制御部は、例えば上部筐体１０１に配置した図示しない突起部により、下部筐体１０２の図示しない検出スイッチが押しているか否かを監視することにより閉状態を検出している。
具体的には、制御部は、検出スイッチが押下されていれば閉状態、押下されていなければ開状態と判定する。
なお、開閉検出は、スイッチに限らず、各種センサであってもよい。
【００１８】
図２は、本発明の実施の形態に係る携帯電子機器（携帯電話１０）の信号処理系の内部構成を示すブロック図である。
【００１９】
図２に示されるように、携帯電話１０は、通信部１１と、操作部１２と、音声ＣＯＤＥＣ（COder DECorder）部１３と、表示部１４と、ＲＦＩＤ部１５と、記憶部１６と、制御部１７と、により構成される。
【００２０】
通信部１１は、無線通信システムを捕捉し、通信ネットワークに接続される図示しない基地局との間で無線通信を行い、各種データの送受信を行う。
各種データとは、音声通話時の音声データ、メール送受信時のメールデータ、ウェブ閲覧時のページデータ等である。
【００２１】
操作部１２は、例えば、電源キー、通話キー、数字キー、文字キー、方向キー、決定キー、発信キー、ファンクションキーなど、各種の機能が割り当てられたキーを有している。
操作部１２は、これらのキーがユーザによって操作された場合に、その操作内容に対応する信号を発生し、これをユーザの指示として制御部１７に出力する。
【００２２】
音声ＣＯＤＥＣ部１３は、スピーカ１３１から出力される音声信号やマイクロフォン１３２において入力される音声信号の入出力処理を行う。
すなわち、音声ＣＯＤＥＣ部１３は、マイクロフォンから入力された音声を増幅し、アナログ−デジタル変換を行い、更に符号化等の信号処理を施し、デジタルの音声データに変換して制御部１７に出力する。
また、音声ＣＯＤＥＣ部１３は、制御部１７から供給される音声データに復号化、デジタル−アナログ変換、増幅等の信号処理を施し、アナログの音声信号に変換してスピーカに出力する。
【００２３】
表示部１４は、多数の画素（複数色の発光素子の組み合わせ）を縦横に配して構成される、例えばＬＣＤ（Liquid Crystal Display Device）や有機ＥＬ（Electro-Luminescence）
が用いられ構成される。
表示部１４は、制御部１７により生成され、記憶部１６の所定の領域（ＶＲＡＭ領域）に書き込まれた文書等の表示対象データに応じた画像を表示する。また、ここでは、図６にその画面構成の一例が示されるＧＵＩ画面も表示する。
【００２４】
ＲＦＩＤ部１５は、携帯電話１０の、例えば、下部筐体１０２に実装され、無線により接続される外部装置（後述するＲＦＩＤリーダライタ２０）との無線通信インタフェースを有する。また、ＲＦＩＤ部１５は、有線で接続される制御部１７と接続される。内部構成等、詳細は図３を用いて後述する。
【００２５】
記憶部１６は、携帯電話１０の各種処理に利用される各種データを記憶する。
記憶部１６には、例えば、制御部１７が実行するコンピュータのプログラムが記憶される。
記憶部１６には、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
ここでは、記憶部１６には、更に、ＲＦＩＤ部１５が外部装置から受信した情報の少なくとも一部を履歴情報（第２の情報）として、また、操作部１２を介して操作入力される送受信情報種別情報を設定情報（第３の情報）として、それぞれ記憶される。
なお、記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２６】
制御部１７は、携帯電話１０の全体的な動作を統括的に制御する。
すなわち、制御部１７は、携帯電話１０の各種処理（回線交換網を介して行われる音声通話、電子メールの作成と送受信、インターネットのＷｅｂ（World Wide Web）サイトの閲覧などが操作部１２の操作に応じて適切な手順で実行されるように、上述した各制御ブロックの動作を制御する。
制御部１７が制御する対象は、通信部１１における信号の送受信、操作部１２からの操作入力の取り込み、音声ＣＯＤＥＣ部１３における音声入出力、表示部１４における画像の表示、ＲＦＩＤ部１５との間の情報転送等である。
上記した制御部１７は、記憶部１６に格納されたオペレーティングシステムやアプリケーションプログラム等のプログラムに基づいて処理を実行するマイクロプロセッサを備えており、これらプログラムにおいて指示された手順に従って上述した処理を実行する。
すなわち、制御部１７は、記憶部１６に格納されるオペレーティングシステムやアプリケーションプログラム等のプログラムから命令コードを順次読み込んで処理を実行する。
【００２７】
図３は、図２に示すＲＦＩＤ部１５の内部構成を示すブロック図である。図３に示されるように、ＲＦＩＤ部１５は、ＲＦＩＤ制御部１５０と、送受信部１５１と、記憶部１５２と、により構成される。
【００２８】
送受信部１５１は、外部装置との間で情報の送受信を行う。記憶部１５２は、送受信される情報の少なくとも一部（暗号化を要する情報）を記憶する、後述する第１の記憶部としての携帯電話１０が有する記憶部１６よりも容量が小さい第２の記憶部である。
【００２９】
ＲＦＩＤ制御部１５０は、操作部１２を介して設定入力される内容にしたがい送受信部１５１が受信した情報を携帯電話１０の記憶部１６とＲＦＩＤ部１５が内蔵する記憶部１５２のそれぞれに記憶させる。
上記した送受信部と、記憶部１５２は、ＲＦＩＤ制御部１５０が有する内部バス１５３に共通に接続される。
【００３０】
ＲＦＩＤ部１５は、送受信部１５１を介して無線接続される外部装置との通信インタフェースを有する他に、携帯電話１０の制御部１７と有線でつながれている。
このため、ＲＦＩＤ制御部１５０は、送受信部１５１が受信した情報を、第１の情報と、第１の情報より情報量が大きな第２の情報とに分離し、第１の情報を記憶部１５２に、第２の情報を携帯電話１０の記憶部１６に記憶させる制御を行う。
ここで、「第１の情報」とは、例えば、レシート情報の場合、買い物金額等の情報を、「第２の情報」とは、商品名や店舗名等の第１の情報に比してデータサイズの大きい付加情報をいう。
【００３１】
また、ＲＦＩＤ制御部１５０は、外部装置から受信した第１の情報を暗号化された状態で記憶部１５２に記憶し、第２の情報を復号化して携帯電話１０の記憶部１６に記憶させる。
また、ＲＦＩＤ制御部１５０は、記憶部１６に記憶される第２の情報の種類を示す操作部１２により設定入力される第３の情報に基づき、外部装置に送信させる情報の種類を制御する。
【００３２】
図４は、外部装置の内部構成を示すブロック図である。ここでは、外部装置としてＲＦＩＤリーダライタ２０が示されている。
図４に示されるように、ＲＦＩＤリーダライタ２０は、制御部２１と、記憶部２２と、無線送受信部２３とが、アドレス、データ、コントロールのためのラインが複数本で構成されるバス２４に共通接続され、構成される。
【００３３】
制御部２１は、ＲＦＩＤ部１５から無線送信される応答データやコマンドに基づく各種の処理を実行する。
特に、ここでは、無線送受信部２３による情報の送受信に先立ち、携帯電話１０から操作部１２を介して入力される情報の種類を特定する設定情報を受信し、当該受信した設定情報にしたがい、ＲＦＩＤ部１５に送信する情報を選択送信する。
【００３４】
無線送受信部２３は、信号処理部２３１と、変復調部２３２とで構成される。
信号処理部２３１は、ＲＦＩＤ部１５から応答データが変復調部２３２を介して供給されたとき、そのデータに対し、例えば、ＢＰＳＫ（Binary Phase Shift Keying）変調等を施し、取得したデータをバス２４経由で制御部２１に引き渡す。
信号処理部２３１は更に、制御部２１からＲＦＩＤ部１５に送信するコマンドがバス２４経由で供給されたとき、そのコマンドにＢＰＳＫ変調を施し、取得したデータを変復調部２３２に出力する。
【００３５】
変復調部２３２は、不図示の発信回路から供給される所定の周波数を有する搬送波を制御部２１から供給されるデータに基づいて例えばＡＳＫ（Amplitude Shift Keying）変調し、生成された変調波を電磁波としてアンテナから出力する。
変復調部２３２は更に、アンテナを介して取得した変調波を復調し、復調されたデータを信号処理部２３経由で制御部２１に引き渡す。
【００３６】
図５は、本発明の実施の形態に係る携帯電子機器の動作を示すフローチャートである。
【００３７】
以下、図５のフローチャートを参照しながら、図１〜図３に示す携帯電子機器の動作について詳細に説明する。
【００３８】
携帯電話１０は、外部装置２０との送受信に先立ちＲＦＩＤリーダライタ２０の制御部２１から発行される設定情報取得要求の到来を待って（ステップＳ５０１“Ｙｅｓ”）、設定情報の登録を行う（ステップＳ５０２）。
ここで、設定情報とは、携帯電話１０の記憶部１６に記憶させる送受信情報の種類を示す情報であり、事前にユーザにより設定され携帯電話１０の記憶部１６に記憶される情報である。
このため、携帯電話１０は、例えば、図６（ａ）に示されるように、外部装置２０との情報の通信の前に操作部１２と表示部１４とを用いて設定情報を登録するためのユーザインタフェースを提供する必要がある。
ここで、設定情報に示される送受信情報の選択要素として、例えば、商品名／金額、合計金額、取引日時、店舗名、商品分類、ポイント等がある。
ユーザは、表示部１４に表示されたこれら送受信情報の選択要素のうち、ＲＦＩＤリーダライタ２０に送信させる送受信情報の種別を選択し（チェックマークを付与）、制御部１７はこの選択要素を取込んで記憶部１６の設定領域に記憶する。
【００３９】
次に、ＲＦＩＤ制御部１５０は、ＲＦＩＤリーダライタ２０により発行される送受信情報送信要求の到来を待って（ステップＳ５０３“Ｙｅｓ”）、先に登録した設定情報に基づく送受信情報の受信を開始する（ステップＳ５０４）。
すなわち、ＲＦＩＤ制御部１５０は、制御部１７と通信を行い、表示部１４に、例えば、図６（ｂ）に示される通信指示画面を表示する。
ユーザは表示部１４に表示された通信指示画面に割り付けられたボタン（Ｙｅｓ）を押下する。
このことにより、以降、ＲＦＩＤリーダライタ２０とＲＦＩＤ部１５との間で送受信情報の無線通信が開始され、ＲＦＩＤリーダライタ２０は、携帯電話１０から取得した設定情報にしたがってＲＦＩＤ部１５に該当種別の送受信情報を送信する。
【００４０】
すなわち、ＲＦＩＤリーダライタ２０の制御部２１は、設定情報の情報種別に該当する送受信情報のみ携帯電話１０（ＲＦＩＤ部１５）に送信する。
送受信部１５１を介してその送受信情報を受信したＲＦＩＤ部１５のＲＦＩＤ制御部１５０は、例えば、合計金額情報と、たとえば商品名、取引日時、店舗名、商品分類、ポイント等のその他の情報とに分離する。
ＲＦＩＤ制御部１５０は、合計金額情報（第２の情報）をＲＦＩＤ部１５が内蔵する記憶部１５２に暗号化された状態で、その他情報（第１の情報）を携帯電話１０の記憶部１６の履歴領域に復号化して記憶させる制御を実行する（ステップＳ５０５）。
上記の動作は、送受信送信終了要求を受信するまで繰り返し実行され（ステップＳ５０６“Ｙｅｓ”）、ＲＦＩＤ制御部１５０は、送受信送信終了要求を受信したタイミングで制御部１７と通信を行う。
このとき、表示部１４に、例えば、図６（ｃ）に示される終了通知画面が表示される。
【００４１】
上記した本発明の実施の形態に係る携帯電子機器によれば、送受信情報を携帯電話１０が有する記憶部１６に保存することができ、ＲＦＩＤ部１５の記憶部１５２に記憶する場合に比べて大量の情報を記憶することができる。
また、このとき、ＲＦＩＤ部１５の記憶部１５２に対してセキュリティロックをかけたままで履歴情報を扱えるため、利便性が向上する。
また、制御部１７が第２の情報を欲するとき、制御部１７は、記憶部１６へアクセスすることによって第２の情報にアクセスできる。したがって制御部１７による第２の情報へのアクセス速度の向上が期待できる。
特に、従来、ＲＦＩＤ部１５の記憶部１５２をアクセスするためにはロックを解除する必要があり、この場合、アクセスの為のアプリケーションが必要であった。
これに対して、本発明の実施の形態に係る携帯電子機器によれば、専用のアプリケーションが不要となり、また、その履歴をアクセスするためにサーバとの通信も不要になるため、処理時間の削減にも寄与することができる。
【００４２】
また、ユーザによる設定にしたがいＲＦＩＤリーダライタ２０から通信で取得する情報を制限することにより、無駄な情報で有限の記憶部１６の領域を浪費することなく、かつ、通信処理時間を短縮可能な携帯電子機器を提供することができる。
なお、本発明の実施の形態に係る携帯電子機器によれば、ここで取得した送受信情報から家計簿アプリケーションなどへの情報の展開、ユーザ嗜好の抽出、活動マップの作成等も可能である。
【００４３】
図７および図８は、本発明の実施の形態に係る無線通信システムの動作を示すシーケンス図である。
図７および図８には、携帯電話１０の表示部１４、記憶部１６の履歴情報１６ａおよび設定情報１６ｂと、ＲＦＩＤ部１５のＲＦＩＤ制御部１５０、送受信部１５１と、ＲＦＩＤリーダライタ２０との間の動作の流れが示されている。
以下、図７および図８のシーケンス図を参照しながら、図１〜図４に示す本発明の実施の形態に係る無線通信システムの動作について詳細に説明する。
【００４４】
まず、携帯電話１０のＲＦＩＤ部１５は、ＲＦＩＤリーダライタ２０との間で通信を開始するためにＲＦＩＤリーダライタ２０の制御部２１と間で所定の手順に基づくハンドシェイクを行う（ステップＳ７０１、Ｓ７０２）。
上記したハンドシェイクが正常終了して両者による接続が開始されると（ステップＳ７０３）、ＲＦＩＤ部１５の送受信部１５１とＲＦＩＤ制御部１５０との間でテスト用の送受信データが転送される。
そして、このデータ転送が正常終了したことにより接続が完了する（ステップＳ７０４）。
【００４５】
このタイミングで、ＲＦＩＤリーダライタ２０が携帯電話１０のＲＦＩＤ部１５に送受信開始要求を送信したとする（ステップＳ７０５）。
携帯電話１０のＲＦＩＤ部１５（ＲＦＩＤ制御部１５０）は、送受信部１５１を介して送受信開始要求を受信すると、ＲＦＩＤリーダライタ２０に対して送受信情報受信可否データにより応答する（ステップＳ７０６）。
ＲＦＩＤ制御部１５０は、「送受信情報受信可」の場合、応答“ＯＫ”を、「送受信情報受信否」の場合は応答“ＮＧ”を送信する。
【００４６】
次に、ＲＦＩＤ部１５から送受信送受信開始要求に対する応答“ＯＫ”を受信したＲＦＩＤリーダライタ２０は、ＲＦＩＤ部１５に設定情報取得要求を送信する（ステップＳ７０７）。
設定情報取得要求を受信したＲＦＩＤ部１５のＲＦＩＤ制御部１５０は、携帯電話１０の記憶部１６から登録済みの設定情報を読み出し、送受信部１５１を介し、ＲＦＩＤリーダライタ２０に対して設定情報を送信する（ステップＳ７０８）。
以降、ＲＦＩＤリーダライタ２０とＲＦＩＤ部１５との間で送受信情報の無線通信が開始され、ＲＦＩＤリーダライタ２０は、携帯電話１０から取得した設定情報にしたがってＲＦＩＤ部１５に該当種別の送受信情報を送信する（ステップＳ７０９）。
【００４７】
すなわち、ＲＦＩＤリーダライタ２０は、設定情報の情報種別に該当する送受信情報のみ携帯電話１０のＲＦＩＤ部１５に送信する（ステップＳ７１０）。
送受信部１５１を介してその送受信情報を受信したＲＦＩＤ制御部１５０は、受信した送受信情報をチェックして送受信情報受信応答を行う（ステップＳ７１１）。
このとき、ＲＦＩＤ制御部１５０は、送受信部１５１が受信した送受信情報を、例えば、合計金額情報と、商品名、取引日時、店舗名、商品分類、ポイント等のその他の情報とに分離する。
合計金額情報をＲＦＩＤ部１５が内蔵するＲＦＩＤ記憶部１５２に暗号化された状態で、その他情報を携帯電話１０の記憶部１６の履歴情報１６ａに復号化して記憶させる制御を実行する。
上記の動作は、設定情報に該当する送受信情報の全て（１）〜（ｎ）に対して繰り返し実行されるものとする（ステップＳ７１２〜Ｓ７１４）。
【００４８】
上記した一連の送受信情報送信後、ＲＦＩＤリーダライタ２０は、携帯電話１０のＲＦＩＤ部１５に対してデータ送信終了を通知する（ステップＳ７１５）。
ＲＦＩＤ部１５は、ＲＦＩＤ制御部１５０がこのデータ送信終了を受信したタイミングで携帯電話１０の記憶部１６に第２の情報を保存し、ＲＦＩＤリーダライタ２０にデータ送信終了応答を行う（ステップＳ７１６）。
ＲＦＩＤ部１５は、制御部１７と通信を行い、表示部１４に、終了通知画面を表示する。
データ送信終了応答を受信したＲＦＩＤリーダライタ２０は、携帯電話１０のＲＦＩＤ部１５に送受信終了要求を発行する（ステップＳ７１７）。
これに対し、ＲＦＩＤ部１５は、送受信応答を行い、上記した一連の処理を終了する（ステップＳ７１８）。
【００４９】
上記した本発明の実施の形態に係る無線通信システムによれば、第２の情報を携帯電話１０が有する記憶部１６に保存することができ、ＲＦＩＤ部１５に記憶する場合に比べて大量の情報を記憶することができる。
また、このとき、ＲＦＩＤ部１５に対してセキュリティロックはかけたままとなる為、履歴情報は機密性を維持できる。また、制御部１７が第２の情報を欲するとき、制御部１７は、記憶部１６へアクセスすることによって第２の情報にアクセスできる。したがって制御部１７による第２の情報へのアクセス速度の向上が期待できる。
また、ユーザによる設定にしたがいＲＦＩＤリーダライタ２０から通信で取得する情報を制限することにより、無駄な情報で有限の記憶部１６の領域を浪費することなく、また、通信処理時間を短縮する無線通信システムを提供することができる。
【００５０】
図９は、本発明の実施の形態に係る無線通信システムを駅構内に設置した場合のシステム応用例を示す構成図である。
【００５１】
図９に示されるように、ＲＦＩＤリーダライタ２０は、例えば、駅改札の自動改札機に搭載されており、切符代わりとなる携帯電話１０を不図示のセンサ面にかざすことにより入改札が制御される。
また、携帯電話１０は、Ｗｅｂ接続機能を有し、基地局装置４０を介してＩＰ（Internet Protocol）ネットワーク等の通信ネットワーク６０に接続されている。
一方、自動改札機は、駅構内サーバ３０を介して通信ネットワーク６０に接続され、通信ネットワーク６０には、更に、地域情報配信サーバ５０が接続されている。
【００５２】
地域情報配信サーバ５０は、駅周辺の地域情報を配信している。
携帯電話１０を所持するユーザは、降車駅に到着してＲＦＩＤ部１５を有する携帯電話１０を、自動改札機のセンサ面にかざした時点で、駅周辺のレストラン、カラオケボックス、居酒屋などの地域情報を受信することができる。
その際、携帯電話１０が有する記憶部１６は前述した地域情報を記憶する。もし、記憶部１６の記憶容量の制限により、降車駅にある街の全ての情報は受信できないときは、例えば、携帯電話１０のプロフィール情報に記憶されている趣味欄の内容に基づき情報を制限することも可能である。
例えば、趣味が「テニス」となっていた場合、テニスコートやスポーツショップの位置情報などに関する情報を選択して受信する。
【００５３】
上記した本発明の実施の形態に係る無線通信システムの応用システムによれば、配信される地域情報を簡単に受信することができ、さらにプロフィール情報等によりその内容をフィルタリングすることで、有限のメモリリソースを有効活用することができる。
【００５４】
なお、上記した本発明の実施の形態に係る携帯電子機器として、携帯電話１０のみ例示したが、携帯電話１０に限らず、ＰＤＡ（Personal Digital Assistants）、やゲーム機等にも同様に適用が可能である。
また、外部装置として、ＲＦＩＤリーダライタ２０のみ例示したが、ＲＦＩＤリーダライタを有する端末、あるいはＲＦＩＤリーダライタ２０に代わって携帯電話１０のＲＦＩＤ部１５と通信可能な機器であればいずれでも構わない。
【００５５】
また、本発明の実施の形態に係る携帯電子機器が有する各構成ブロックの機能は、全てをソフトウェアによって実現しても、あるいはその少なくとも一部をハードウェアで実現してもよい。
例えば、携帯電話１０において、送受信部（ＲＦＩＤ送受信部１５１）が受信した情報を、第１の情報と、第１の情報より情報量が大きな第２の情報とに分離し、第１の情報を第２の記憶部（ＲＦＩＤ記憶部１５２）に、第２の情報を第１の記憶部（記憶部１６）に記憶させる制御を実行する制御部（ＲＦＩＤ制御部１５０）におけるデータ処理は、１または複数のプログラムによりコンピュータ上で実現してもよく、また、その少なくとも一部をハードウェアで実現してもよい。
なお、携帯電話１０は、ＲＦＩＤリーダライタ２０から第３の情報を受信し、この第３の情報に基づいて、第１の情報と第２の情報とが分けられるようにしてもよい。
【図面の簡単な説明】
【００５６】
【図１】本発明の実施の形態に係る携帯電子機器の外観構造の一例を示す図である。
【図２】本発明の実施の形態に係る携帯電子機器の電気系の内部構成を示すブロック図である。
【図３】本発明の実施の形態に係る携帯電子機器が有するＲＦＩＤ部の内部構成を示すブロック図である。
【図４】本発明の実施の形態に係る無線通信システムを構成する外部装置の内部構成を示すブロック図である。
【図５】本発明の実施の形態に係る携帯電子機器の動作を示すフローチャートである。
【図６】本発明の実施の形態に係る携帯電子機器の表示部に表示される表示画面構成の一例を示す図である。
【図７】本発明の実施の形態に係る無線通信システムの動作を示すシーケンス図である。
【図８】本発明の実施の形態に係る無線通信システムの動作を示すシーケンス図である。
【図９】本発明の実施の形態に係る無線通信システムの応用システムの一例を示す図である。
【符号の説明】
【００５７】
１０…携帯電話、１１…通信部、１２…操作部、１３…音声ＣＯＤＥＣ部、１４…表示部、１５…ＲＦＩＤ部、１６…記憶部（第１の記憶部）、１７…制御部、２０…外部装置（ＲＦＩＤリーダライタ）、２１…制御部、２２…記憶部、２３…無線送受信部、３０…駅構内サーバ、４０…基地局装置、５０…地域情報配信サーバ、６０…通信ネットワーク、１５０…ＲＦＩＤ制御部、１５１…送受信部、１５２…記憶部（第２の記憶部）、２３１…信号処理部、２３２…変復調部
【図１】
2010035058.tif 000003
【図２】
2010035058.tif 000004
【図３】
2010035058.tif 000005
【図４】
2010035058.tif 000006
【図５】
2010035058.tif 000007
【図６】
2010035058.tif 000008
【図７】
2010035058.tif 000009
【図８】
2010035058.tif 000010
【図９】
2010035058.tif 000011